(57)【特許請求の範囲】
【請求項１】
光源と、
前記光源から照射された光を光照射対象に照射してこれを走査する走査手段と前記光源から前記光照射対象までの光路上に設けられる光学素子と、
前記光学素子の姿勢または形状を調整することで、走査線の傾きまたは曲がりを補正する補正手段と
前記光学素子および前記補正手段を収納するハウジングとを備えた光走査装置において、
前記補正手段は、前記光学素子と当接する当接部と、前記ハウジングに設けられた調整穴から挿入される調整治具と係合する係合部とを有し、前記調整治具から力を加えられることで前記当接部の前記光学素子との当接位置が変位し、前記光学素子の姿勢または形状を調整する調整部材を備え、
前記光学素子は面状部分を備え、
前記当接部は、前記面状部分の法線方向に対して、傾斜する方向に移動するように構成され、
前記調整穴から挿入された前記調整治具を前記調整部材の係合部に案内するための係合ガイドを設け、前記係合ガイドは、前記調整穴から前記係合部への間で、前記傾斜する方向に前記調整治具を案内することを特徴とする光走査装置。
【請求項２】
請求項１の光走査装置において、
前記係合ガイドは、前記調整穴から前記調整部材に向かって延びていることを特徴とする光走査装置。
【請求項３】
請求項１または２の光走査装置において、
前記調整穴には、前記調整治具が前記調整穴へ向かうように案内する開口ガイドを有することを特徴とする光走査装置。
【請求項４】
請求項１乃至３いずれかの光走査装置において、
前記調整部材に設けられ、前記係合部に向かって径が小さくなるすり鉢形状の第２係合ガイドを備えたことを特徴とする光走査装置。
【請求項５】
請求項１乃至４いずれかの光走査装置において、
前記係合部を、６角穴としたことを特徴とする光走査装置。
【請求項６】
請求項５の光走査装置において、
前記調整部材は、ネジ部を有しており、
前記調整部材の前記６角穴が形成されている部分の外径を、前記ネジ部の外径よりも大きくしたことを特徴とする光走査装置。
【請求項７】
請求項１乃至６いずれかの光走査装置において、
前記光学素子がレンズまたはミラーであることを特徴とする光走査装置。
【請求項８】
請求項１乃至７いずれかの光走査装置を搭載することを特徴とする画像形成装置。
【発明の詳細な説明】
【技術分野】
【０００１】
本発明は、光走査装置および画像形成装置に関するものである。
【背景技術】
【０００２】
従来、レーザービームプリンタ、デジタル複写機、レーザーファクシミリ等の画像形成装置において、画像情報に基づいて生成した光ビームによって感光体等の潜像担持体を光走査することで、潜像担持体上に潜像を形成するものが知られている。かかる画像形成装置における光走査装置は、一般に、レーザーダイオード等の光源、ポリゴンミラー等からなる走査手段、ｆθレンズ、反射鏡などを有している。そして、光源から発射した光ビームを、走査手段によって主走査方向に走査せしめたり、ｆθレンズで集光したりしながら、反射鏡による反射によって潜像担持体の表面に導く。
【０００３】
かかる構成の光走査装置においては、それを構成する光学系部品や支持体などに、製造時の加工誤差などによる微妙な歪みがどうしても発生する。また、光学系部品や支持体には組付誤差が少なからず発生する。そして、これら歪み、組付誤差などにより、潜像担持体の表面上の主走査線を湾曲させたり、傾かせたりすることがある。このような湾曲や傾きが生ずると、正常な画像を形成することができなくなる。
【０００４】
そこで、本出願人は、特許文献１において、主走査線が何れの方向に湾曲していてもそれを補正できるようにした補正手段たる湾曲補正機構を設けた光走査装置を提案した。この湾曲補正機構は、ホルダーによって反射鏡を厚み方向に強制的に湾曲させた状態で保持している。そして、このようにして保持した反射鏡を調整部材たる調整ネジによって押し込むことで、反射鏡に対してホルダーによる強制湾曲方向とは逆方向への湾曲力を付与している。この調整ネジによって反射鏡を僅かに押し込むと、ホルダーによって強制的に湾曲せしめられている反射鏡の湾曲量が減少する。また、反射鏡を更に押し込んでいくと、反射鏡が初期の状態とは逆方向に湾曲する。このように、反射鏡を何れの方向にも湾曲させることができる湾曲補正機構により、主走査線の湾曲を反射鏡の逆方向の湾曲で相殺することで、主走査線の湾曲を補正することができる。
【０００５】
また、主走査線の傾きを補正できるようにした補正手段たる傾き補正機構を設けた光走査装置も一般的に知られている。この傾き補正機構は、反射鏡の一端側を調整ネジで支持する。調整ネジを回転させて調整ネジを上昇または下降させると、反射鏡の調整ネジ側端部は上昇または下降する。これにより、反射鏡は、調整ネジ側端部と反対側の端部を支点にして回動し、その姿勢が変化し、主走査線の傾きを補正することができる。
【発明の概要】
【発明が解決しようとする課題】
【０００６】
光走査装置においては、主走査線の曲がり補正や傾き補正は、一般的には、次のように行っている。
走査線の傾きまたは曲がり調整を行う調整装置の載置台上に、画像形成装置に搭載されるときの姿勢とほぼ同じ姿勢で光走査装置を載せる。そして、その光走査装置が画像形成装置に搭載されるときに光照射対象となる感光体表面がその光走査装置に対して位置決めされる予定の位置に対応する箇所に、ＣＣＤ等の受光器を配置する。この受光器は、感光体軸方向に対応する方向の任意の地点に１個又は２個以上配置する。その後、光走査装置を駆動し、感光体軸方向に対応する方向に沿って走査される走査光を受光器で検出する。作業者は、ドライバーなどの調整ネジに回転力を与える調整治具を光走査装置のハウジングに設けられた調整穴から差し込んで、ハウジング内の調整ネジに調整治具をアクセスさせる。そして、受光器で検出した検出結果に基づいてディスプレイ等に表示される調整情報を見ながら、調整治具を回転させることで、主走査線の曲がり補正や傾き補正を行っている。
【０００７】
しかしながら、調整治具を調整穴に差し込むと、調整治具によって調整穴が塞がれるため、調整穴から調整ネジの位置を目視で確認することができない。このため、調整治具を調整ネジにアクセスすることが困難となり、調整治具を調整ネジにアクセスするまでの時間がかかり、走査線の曲がり補正や傾き補正の作業性が悪いという不具合が生じてしまう。
【０００８】
そこで、調整穴を大きくして、調整治具を差し込んでも調整ネジの位置を目視で確認できるようにすることも考えられる。
しかしながら、装置のレイアウト上、調整ネジの頭が下向きになった場合は、調整治具をハウジングの下面に設けた調整穴からアクセスすることとなり、下から調整穴を覗き込むような姿勢で調整作業を行わなければ、調整ネジの位置を目視で確認しながら調整治具を調整ネジにアクセスすることができない。よって、走査線の曲がり補正や傾き補正の作業性が悪いという不具合が生じてしまう。
【０００９】
本発明は以上の問題点に鑑みなされたものであり、その目的は、走査線の傾きまたは曲がりの補正作業を容易に行うことのできる光書込装置および画像形成装置を提供することである。
【課題を解決するための手段】
【００１０】
上記目的を達成するために、請求項１の発明は、光源と、前記光源から照射された光を光照射対象に照射してこれを走査する走査手段と前記光源から前記光照射対象までの光路上に設けられる光学素子と、前記光学素子の姿勢または形状を調整することで、走査線の傾きまたは曲がりを補正する補正手段と前記光学素子および前記補正手段を収納するハウジングとを備えた光走査装置において、前記補正手段は、前記光学素子と当接する当接部と、前記ハウジングに設けられた調整穴から挿入される調整治具と係合する係合部とを有し、前記調整治具から力を加えられることで前記当接部の前記光学素子との当接位置が変位し、前記光学素子の姿勢または形状を調整する調整部材を備え、前記光学素子は面状部分を備え、前記当接部は、前記面状部分の法線方向に対して、傾斜する方向に移動するように構成され、前記調整穴から挿入された前記調整治具を前記調整部材の係合部に案内するための係合ガイドを設け、前記係合ガイドは、前記調整穴から前記係合部への間で、前記傾斜する方向に前記調整治具を案内することを特徴とするものである。
また、請求項２の発明は、請求項１の光走査装置において、前記係合ガイドは、前記調整穴から前記調整部材に向かって延びていることを特徴とするものである。
また、請求項３の発明は、請求項１または２の光走査装置において、前記調整穴には、前記調整治具が前記調整穴へ向かうように案内する開口ガイドを有することを特徴とするものである。
また、請求項４の発明は、請求項１乃至３いずれかの光走査装置において、前記調整部材に設けられ、前記係合部に向かって径が小さくなるすり鉢形状の第２係合ガイドを備えたことを特徴とするものである。
また、請求項５の発明は、請求項１乃至４いずれかの光走査装置において、前記係合部を、６角穴としたことを特徴とするものである。
また、請求項６の発明は、請求項５の光走査装置において、前記調整部材は、ネジ部を有しており、前記調整部材の前記６角穴が形成されている部分の外径を、前記ネジ部の外径よりも大きくしたことを特徴とするものである。
また、請求項７の発明は、請求項１乃至６いずれかの光走査装置において、前記光学素子がレンズまたはミラーであることを特徴とするものである。
また、請求項８の発明は、請求項１乃至７いずれかの光走査装置を搭載することを特徴とするものである。
【発明の効果】
【００１１】
請求項１乃至９の発明においては、調整治具を調整部材の係合部に係合させるとき、調整治具がガイドによって調整部材の係合部へ案内されるので、調整部材の位置を目視で確認できなくても、調整治具を容易に調整部材の係合部に係合させることができる。その結果、光走査線の補正作業を容易に行うことができる。
【図面の簡単な説明】
【００１２】
【図１】実施形態に係るプリンタを示す概略構成図。
【図２】同プリンタにおけるＹ用の作像ステーションを示す概略構成図。
【図３】同プリンタおける光書込ユニットを、４つの感光体とともに示す概略構成図。
【図４】同光書込ユニットのＹ用の第２反射鏡とその周囲構成とを、第２反射鏡の鏡面側から示す斜視図。
【図５】同第２反射鏡の縦断面と、その周囲構成とを示す構成図。
【図６】同第２反射鏡の上面と、その周囲構成とを示す構成図。
【図７】同第２反射鏡の長手方向中央部付近の横断面と周囲構成とを示す構成図。
【図８】同第２反射鏡の長手方向中央部付近とその周囲構成とを、第２反射鏡の裏面側から示す斜視図。
【図９】同第２反射鏡の強制的な撓みを説明する模式図。
【図１０】調整ネジを当接部側から見た斜視図。
【図１１】調整ネジを係合部側から見た斜視図。
【図１２】調整ネジの部分断面図。
【図１３】湾曲調整機構の押込手段によって強制的な湾曲を直される状態の第２反射鏡を示す模式図。
【図１４】調整装置の載置台上に載せて保持された状態の同光書込ユニットを感光体軸方向から見たときの構成を示す説明図。
【図１５】ハウジングの調整穴にガイドを設けた例を示す斜視図。
【図１６】ハウジング調整穴４９Ｃにガイドを設けた例を示す概略断面図。
【図１７】ポリゴンカバーにガイドを設けた例を示す概略斜視図。
【図１８】ポリゴンカバーにガイドを設けた例を示す概略構成図。
【図１９】光を副走査方向に集光させる走査レンズと、主走査線方向に集光させる走査レンズとを備えた光書込ユニットを、４つの感光体とともに示す概略構成図。
【図２０】長尺レンズにより走査線の曲がりを補正する湾曲補正機構の概略構成図。
【図２１】長尺レンズにより走査線の傾き補正する傾き補正機構の概略構成図。
【発明を実施するための形態】
【００１３】
以下、本発明を、電子写真方式のカラーレーザープリンタ（以下、単にプリンタという）に適用した実施形態について説明する。
図１は、本実施形態に係るプリンタを示す概略構成図である。このプリンタは、筐体１と、この筐体１から引き出し可能な給紙カセット２とを備えている。筐体１の中央部には、イエロー（Ｙ）、シアン（Ｃ）、マゼンダ（Ｍ）、黒（Ｋ）の各色のトナー像（可視像）を形成するための作像ステーション３Ｙ，３Ｃ，３Ｍ，３Ｋを備えている。以下、各符号の添字Ｙ、Ｃ、Ｍ、Ｋは、それぞれイエロー、シアン、マゼンダ、黒用の部材であることを示す。
【００１４】
図２は、イエロー（Ｙ）用の作像ステーションを示す概略構成図である。なお、他の作像ステーションも同様の構成である。
図１及び図２に示すように、作像ステーション３Ｙ，３Ｃ，３Ｍ，３Ｋは、図中矢印Ａ方向に回転する潜像担持体としてのドラム状の感光体１０Ｙ，１０Ｃ，１０Ｍ，１０Ｋを備えている。感光体１０Ｙ，１０Ｃ，１０Ｍ，１０Ｋは、直径４０［ｍｍ］のアルミニウム製の円筒状基体と、その表面を覆う、例えばＯＰＣ（有機光半導体）感光層とから構成されている。各作像ステーション３Ｙ，３Ｃ，３Ｍ，３Ｋは、それぞれ、感光体１０Ｙ，１０Ｃ，１０Ｍ，１０Ｋの周囲に、感光体を帯電する帯電装置１１Ｙ，１１Ｃ，１１Ｍ，１１Ｋを備えている。また、感光体に形成された潜像を現像する現像手段としての現像装置１２Ｙ，１２Ｃ，１２Ｍ，１２Ｋ、感光体上の残留トナーをクリーニングするクリーニング装置１３Ｙ，１３Ｃ，１３Ｍ，１３Ｋも感光体の周囲に備えている。
【００１５】
各作像ステーション３Ｙ，３Ｃ，３Ｍ，３Ｋの下方には、感光体１０Ｙ，１０Ｃ，１０Ｍ，１０Ｋに対し、書込光Ｌによる光走査を行う光走査装置としての光書込ユニット４を備えている。また、各作像ステーション３Ｙ，３Ｃ，３Ｍ，３Ｋの上方には、各作像ステーション３Ｙ，３Ｃ，３Ｍ，３Ｋによって形成されたトナー像が転写される中間転写ベルト２０を具備する中間転写ユニット５を備えている。また、中間転写ベルト２０に転写されたトナー像を転写体としての記録紙Ｐに定着せしめる定着ユニット６を備えている。また、筐体１の上部には、イエロー（Ｙ）、シアン（Ｃ）、マゼンタ（Ｍ）、黒（Ｋ）の各色のトナーを収容するトナーボトル７Ｙ，７Ｃ，７Ｍ，７Ｋが装填されている。このトナーボトル７Ｙ，７Ｃ，７Ｍ，７Ｋは、筐体１の上部に形成される排紙トレイ８を開くことにより、筐体１から脱着可能になっている。
【００１６】
光走査装置としての光書込ユニット４は、光源であるレーザーダイオードを有しており、このレーザーダイオードから、回転駆動される正多角柱構造のポリゴンミラーに向けて光ビームとしての書込光Ｌを発射する。発射された書込光Ｌは、回転するポリゴンミラーの鏡面によって主走査方向に偏向せしめられながら反射する。そして、複数の反射鏡によって折り返された後、帯電装置１１Ｙ，１１Ｃ，１１Ｍ，１１Ｋによって一様帯電せしめられた感光体１０Ｙ，１０Ｃ，１０Ｍ，１０Ｋの周面を走査する。これにより、潜像担持体としての感光体１０Ｙ，１０Ｃ，１０Ｍ，１０Ｋの周面に、それぞれＹ，Ｃ，Ｍ，Ｋ用の静電潜像が形成される。なお、光書込ユニット４の詳しい説明は後述する。
【００１７】
転写手段たる中間転写ユニット５の中間転写ベルト２０は、駆動ローラ２１、テンションローラ２２及び従動ローラ２３に掛け回されながら、所定タイミングで図中反時計回り方向に回転駆動される。また、中間転写ユニット５は、感光体１０Ｙ，１０Ｃ，１０Ｍ，１０Ｋに形成されたトナー像を中間転写ベルト２０に１次転写する１次転写ローラ２４Ｙ，２４Ｃ，２４Ｍ，２４Ｋを備えている。また、中間転写ベルト２０上に１次転写されたトナー像を記録紙Ｐに転写する２次転写ローラ２５、記録紙Ｐ上に転写されなかった中間転写ベルト２０上の転写残トナーをクリーニングするベルトクリーニング装置２６も備えている。
【００１８】
次に、本プリンタにおいて、カラー画像を得る工程について説明する。
まず、作像ステーション３Ｙ，３Ｃ，３Ｍ，３Ｋにおいて、感光体１０Ｙ，１０Ｃ，１０Ｍ，１０Ｋが帯電装置１１Ｙ，１１Ｃ，１１Ｍ，１１Ｋによって一様に帯電される。その後、画像情報に基づいて生成された書込光Ｌによって走査露光されて、感光体１０Ｙ，１０Ｃ，１０Ｍ，１０Ｋの表面に静電潜像が形成される。これらの静電潜像は、現像装置１２Ｙ，１２Ｃ，１２Ｍ，１２Ｋの現像ローラ１５Ｙ，１５Ｃ，１５Ｍ，１５Ｋ上に担持された各色のトナーによって現像されて、Ｙ，Ｃ，Ｍ，Ｋトナー像となる。感光体１０Ｙ，１０Ｃ，１０Ｍ，１０Ｋ上のＹ，Ｃ，Ｍ，Ｋトナー像は、各１次転写ローラ２４Ｙ，２４Ｃ，２４Ｍ，２４Ｋの作用によって反時計回りに回転駆動する中間転写ベルト２０上に順次重ねて１次転写される。このときの各色の作像動作は、そのトナー像が中間転写ベルト２０上の同じ位置に重ねて転写されるように、中間転写ベルト２０の移動方向上流側から下流側に向けてタイミングをずらして実行される。
【００１９】
１次転写終了後の感光体１０Ｙ，１０Ｃ，１０Ｍ，１０Ｋは、クリーニング装置１３Ｙ，１３Ｃ，１３Ｍ，１３Ｋのクリーニングブレード１３ａによってその表面がクリーニングされて、次の画像形成に備えられる。
【００２０】
トナーボトル７Ｙ，７Ｃ，７Ｍ，７Ｋに充填されているトナーは、必要性に応じて図示しない搬送経路によって各作像ステーション３Ｙ，３Ｃ，３Ｍ，３Ｋの現像装置１２Ｙ，１２Ｃ，１２Ｍ，１２Ｋに所定量補給される。
【００２１】
一方、上記給紙カセット２内の記録紙Ｐは、給紙カセット２の近傍に配設された給紙ローラ２７によって、筐体１内に搬送され、レジストローラ対２８によって所定のタイミングで２次転写部に搬送される。そして、２次転写部において、中間転写ベルト２０上に形成されたトナー像が記録紙Ｐに転写される。トナー像が転写された記録紙Ｐは、定着ユニット６を通過することでトナー像が定着せしめられた後、排出ローラ２９によって排紙トレイ８に排出される。感光体１０と同様に、中間転写ベルト２０上に残った転写残のトナーは、中間転写ベルト２０に接触するベルトクリーニング装置２６によってクリーニングされる。
【００２２】
次に、光書込ユニット４の構成について説明する。
図３は、本実施形態に係るプリンタおける光書込ユニット４を、４つの感光体とともに示す概略構成図である。この光書込ユニット４は、正多角柱構造の形状からなる２つのポリゴンミラー４１ａ，４１ｂと、これらポリゴンミラー４１ａ，４１ｂを回転せしめる不図示のポリゴンモータとを有する走査手段たる不図示のポリゴンスキャナを備えている。これらポリゴンミラー４１ａ，４１ｂは、その６つの側面に反射鏡を有しており、互いに正多角柱の中心を重ねるようにして上下方向に接続されている。そして、図示しないポリゴンモータによって同一回転軸線上で高速回転する。これにより、その側面にレーザーダイオード（光ビーム発射手段）からの書込光（レーザー光）が入射すると、この書込光が偏向・走査される。なお、ポリゴンミラー４１ａは、それに対して互いに反対方向から進んでくるＣ，Ｍ用の書込光Ｌｃ，Ｌｍを主走査方向に偏向せしめるものである。また、ポリゴンミラー４１ｂは、それに対して互いに反対方向から進んでくるＹ，Ｋ用の書込光Ｌｙ，Ｌｋを主走査方向に偏向せしめるものである。
【００２３】
図示の光書込ユニット４においては、ポリゴンミラー４１ａ，４１ｂや図示しないポリゴンモータ等により、光ビームとしての書込光Ｌを偏向せしめる偏向手段が構成されている。光書込ユニット４は、かかる偏向手段の他、４つの反射光学系、防音ガラス４２ａ，４２ｂ、走査レンズ４３ａ，４３ｂ、防塵ガラス４８Ｙ，４８Ｃ，４８Ｍ，４８Ｋなども有している。
【００２４】
ポリゴンモータやポリゴンミラー４１ａ，４１ｂは、防音のためにポリゴンカバー４６によって覆われている。このポリゴンカバー４６の内外で書込光を通過させる目的から、ポリゴンカバー４６には、防音ガラス４２ａ，４２ｂが設けられている。光ビームとしての書込光は、この防音ガラス４２ａ，４２ｂを透過することで、ポリゴンカバー４６の内外を行き来することが可能になっている。なお、防音ガラス４２ａは、Ｙ，Ｃ用の書込光Ｌｙ，Ｌｃを透過させるためのものである。また、防音ガラス４２ｂは、Ｍ，Ｋ用の書込光Ｌｍ，Ｌｋを透過させるためのものである。
【００２５】
ポリゴンミラーによって主走査方向に偏向せしめられながら、防音ガラス４２ａを透過したＹ，Ｃ用の書込光Ｌｙ，Ｌｃは、それぞれ上下方向に並んだ状態で走査レンズ４３ａを透過する。この走査レンズ４３ａは、書込光Ｌｙ，Ｌｃを主走査線方向および副走査線方向に集光することでポリゴンミラーによる主走査方向の等角度運動を等速直線運動へと変えるとともに、ポリゴンミラーの面倒れ補正を行う役割を担っている。防音ガラス４２ｂを透過したＭ，Ｋ用の書込光Ｌｍ，Ｌｋは、ポリゴンカバーを介して前述の走査レンズ４３ａとは反対側に位置している走査レンズ４３ｂを透過する。
【００２６】
光書込ユニット４における４つの反射光学系は、それぞれ、上述したレーザーダイオード、反射鏡等から構成されている。具体的には、Ｙ，Ｃ，Ｍ，Ｋの各色のうち、Ｙ用の反射光学系を例にすると、これは、図示しないＹ用のレーザーダイオード、第１反射鏡４４Ｙ、第２反射鏡４５Ｙ等を有している。これら反射鏡は、何れもレンズ機能を有さないミラーである。Ｃ，Ｍ，Ｋ用の反射光学系も、同様にして、レーザーダイオード、第１反射鏡（４４Ｃ〜Ｋ）、第２反射鏡（４５Ｃ〜Ｋ）を有している。
【００２７】
走査レンズ４３ａ，４３ｂを透過したＹ，Ｃ，Ｍ，Ｋ用の書込光Ｌｙ，Ｌｃ，Ｌｍ，Ｌｋは、Ｙ，Ｃ，Ｍ，Ｋ用の反射光学系の各反射鏡に向かう。例えば、走査レンズ４３ａを透過したＹ用の書込光Ｌｙは、第１反射鏡４４Ｙ、第２反射鏡４５Ｙの鏡面を順次反射することで２回折り返されることで、Ｙ用の感光体１０Ｙの表面に導かれていく。Ｃ，Ｍ，Ｋ用のレーザー光Ｌｃ，Ｌｍ，Ｌｋも同様にしてそれぞれ専用の２つの反射鏡で折り返されることで、Ｃ，Ｍ，Ｋ用の感光体１０Ｃ，Ｍ，Ｋの表面に導かれていく。なお、第２反射鏡４６Ｙ，Ｃ，Ｍ，Ｋの鏡面で反射したＹ，Ｃ，Ｍ，Ｋ用の書込光Ｌｙ，Ｌｃ，Ｌｍ，Ｌｋは、光書込ユニット４の上面に設けられた防塵ガラス４８Ｙ，４８Ｃ，４８Ｍ，４８Ｋを透過した後、感光体１０Ｙ，Ｍ，Ｃ，Ｋの表面に到達する。
【００２８】
次に、本プリンタの特徴的な構成について説明する。
本プリンタの光書込ユニット４は、Ｙ，Ｃ，Ｍ，Ｋ用の反射光学系にそれぞれ、何れか１つの反射鏡の湾曲状態を調整することで主走査線の湾曲方向や湾曲量を補正する補正手段たる湾曲補正機構と、その反射鏡の傾きを調整して主走査線の傾きを補正する傾き補正機構とを設けている。以下、Ｙ用の反射光学系を例にして、湾曲補正機構や傾き補正機構について説明する。
【００２９】
図４は、Ｙ用の第２反射鏡４５Ｙとその周囲構成とを、第２反射鏡４５Ｙの鏡面側から示す斜視図である。また、図５は、Ｙ用の第２反射鏡４５Ｙの縦断面と、その周囲構成とを示す構成図である。図６は、Ｙ用の第２反射鏡４５Ｙの上面と、その周囲構成とを示す構成図である。これらの同図において、第２反射鏡４５Ｙは、その裏面側に存在するコの字状の断面形状を有するホルダー５２Ｙによって保持されている。そして、長手方向の両端部をそれぞれホルダー５２Ｙの長手方向両端から突出させている。
【００３０】
第２反射鏡４５Ｙの長手方向の一端部裏面には、傾き補正機構が当接している。そして、この傾き補正機構は、図５に示すように、傾き調整パルスモータ５６Ｙ、モータホルダ５７Ｙ、傾き調整アジャスタ５８Ｙ等を有している。
【００３１】
一方、第２反射鏡４５Ｙにおける傾き調整パルスモータ５６Ｙとは反対側の端部（以下、「支点側端部」という。）は、図示しないプリンタ本体のハウジングに形成された支持部６６の上に載せられている。この状態で、図示しないハウジングに固定された板バネ６９が裏面に押し当てられることで、支持部と板バネ６９との間に挟み込まれている。
【００３２】
傾き調整パルスモータ５６Ｙの回転軸に螺合せしめられた傾き調整アジャスタ（図５の５８Ｙ）が回転軸の回動に伴って昇降すると、第２反射鏡４５Ｙの一端部に対する傾き調整アジャスタの押込量が変化する。これにより、第２反射鏡４５Ｙのモータ側端部が、支持部６６と板バネ６９との間に挟み込まれている支点側端部を支点にして、アジャスタ昇降方向に揺動する。そして、この揺動によって第２反射鏡４５Ｙの傾きが変化する。つまり、図示の第２反射鏡４５Ｙは、傾き調整パルスモータ５６Ｙの回動量の調整によって傾きが調整される。
【００３３】
図７は、第２反射鏡４５Ｙの長手方向中央部付近の横断面と周囲構成とを示す構成図である。図８は、第２反射鏡４５Ｙの長手方向中央部付近とその周囲構成とを、第２反射鏡４５Ｙの裏面側から示す斜視図である。
図７に示すように、ホルダー５２の長手方向中央部には、第２反射鏡４５Ｙの裏面に対して傾斜する面を有する調整ネジ取り付け面５２ｆＹが設けられている。この調整ネジ取り付け面５２ｆＹにはネジ穴（不図示）が設けられており、このネジ穴に調整部材たる調整ネジ１６５Ｙが螺合し、調整ネジ１６５Ｙの先端が第２反射鏡４５Ｙの長手方向の中央部裏面に当接している。
【００３４】
図４に示すように第２反射鏡４５Ｙの裏面側に位置しながら第２反射鏡４５Ｙを保持しているホルダー５２Ｙは、第２反射鏡４５Ｙの幅方向に並ぶ２つの爪５２ａＹを、長手方向の両端部にそれぞれ有している。これらの爪５２ａＹは、ホルダー５２Ｙの本体に一体形成されたものである。ホルダー５２Ｙは、図４に示すようにそれぞれの爪５２ａＹを第２反射鏡４５Ｙの鏡面に引っ掛けることで、第２反射鏡４５Ｙを鏡面側で支持している。また、図５に示すように、ホルダー５２Ｙは、長手方向の両端部にそれぞれ押圧部材としての板バネ５２ｂＹを有している。これら板バネ５２ｂＹはそれぞれ、支持部材たる爪５２ａＹよりも長手方向の端側で、第２反射鏡４５Ｙの裏面（非鏡面）を鏡面側に向けて付勢している。
【００３５】
第２反射鏡４５Ｙの両端部がそれぞれ板バネ（５２ｂＹ）によって裏面側から付勢されると、図９に点線で示すように、第２反射鏡４５Ｙが、爪５２ａＹを支点にして長手方向の中央部を裏面側に向けて撓ませるように強制的に湾曲せしめられる。つまり、保持体としてのホルダー５２Ｙは、第２反射鏡４５Ｙを強制的に裏面側に向けて湾曲させた状態で保持している。
【００３６】
図１０は、調整ネジ１６５Ｙを当接部１６５ａＹ側から見た斜視図であり、図１１は、調整ネジ１６５Ｙを係合部１６５ｃＹ側から見た斜視図である。図１２は、調整ネジ１６５Ｙの部分断面図である。
調整ネジ１６５Ｙは、第２反射鏡４５Ｙの裏面に当接する当接部１６５ａＹと、ネジ穴に螺合するネジ部１６５ｂＹと、調整治具１６６が係合する係合部１６５ｃＹと、調整治具１６６が案内されるガイド部１６５ｄＹとを有している。
調整ネジ１６５Ｙの先端に設けられた当接部１６５ａＹは、ネジ部１６５ｂＹよりも外径が小さく、先端部にＲを設けて、第２反射鏡４５Ｙの裏面に対して当接部１６５ａＹが反射鏡の裏面に対して斜めに当接しても、第２反射鏡４５Ｙの裏面が傷つかないようになっている。
係合部１６５ｃＹは、６角穴形状となっており、ガイド部１６５ｄＹは、開口端から係合部１６５ｃＹに向けて径が小さくなるようなすり鉢形状となっている。また、係合部１６５ｃＹ、ガイド部１６５ｄＹが設けられた所謂ネジの頭部の外径をネジ部１６５ｂＹの外径よりも大きくしている。これにより、頭部の強度が確保され、６角穴１６５ｃＹやガイド１６５ｄＹを形成するための加工を行う際に、ネジに多少の応力がかかっても、変形や破損が生じないため、６角穴やガイドの加工を容易に行うことが可能となる。
【００３７】
この状態で、図７や図８に示すように、調整治具である６角レンチ１６６を係合部である６角穴１６５ｃＹに係合させて、６角レンチ１６６で調整ネジ１６５Ｙを回転させて第２反射鏡４５Ｙの長手方向の中央部裏面を押し込む。すると、図１３に矢印Ｂで示すように、第２反射鏡４５Ｙの長手方向の中央部に対し、両端部側の板バネ５２ｂＹに打ち勝って逆方向に湾曲させ始めるほどの押込力が付与される。そして、一点鎖線や点線で示すように、第２反射鏡４５Ｙが裏面側への湾曲量を減少させたり、逆方向に湾曲したりする。
【００３８】
Ｙ用の反射光学系における傾き補正機構や湾曲補正機構（ホルダー及び押込手段）について説明したが、Ｃ，Ｍ，Ｋ用の反射光学系も同様の構成になっている。また、傾き調整機構や湾曲補正機構を第２反射鏡に設けた例について説明したが、第１反射鏡に設けてもよい。また、Ｙ，Ｃ，Ｍ，Ｋ用の全ての反射光学系に傾き補正機構や湾曲補正機構を設けた例について説明したが、何れか１つの反射光学系における主走査線の傾きや湾曲に合わせて、他の反射光学系における主走査線の傾きや湾曲を補正する場合には、基準となる反射光学系に傾き補正機構や湾曲補正機構を設ける必要はない。この場合、レーザーダイオードの数よりも１つ少ない数だけ、傾き補正機構や湾曲補正機構を設ければよいのである。
【００３９】
次に、走査線補正作業について説明する。
図１４は、図示しない調整装置の載置台上に載せて保持された状態の光書込ユニット４を感光体軸方向から見たときの構成を示す説明図である。
本実施形態では、光書込ユニット４を調整装置の載置台上に載せるとき、その光書込ユニット４が本プリンタの装置本体１に搭載されるときの姿勢（図１参照）とほぼ同じ姿勢となるようにする。このような姿勢で光書込ユニット４を調整装置の載置台上に載せた後、その光書込ユニット４の使用時すなわちその光書込ユニット４を本プリンタの装置本体１に搭載した時に、各感光体１０Ｙ，１０Ｃ，１０Ｍ，１０Ｋが光書込ユニット４に対して位置決めされる位置に対応した箇所にＣＣＤ等から構成される光検出器２０１Ｙ，２０１Ｃ，２０１Ｍ，２０１Ｋをそれぞれ配置する。光検出器２０１Ｙ，２０１Ｃ，２０１Ｍ，２０１Ｋは、各色ごとに、それぞれ感光体軸方向に対応する方向（図中紙面法線方向）に沿って、感光体表面上における感光体軸方向中央部に対応する箇所と感光体軸方向両端部に対応する箇所の３箇所にそれぞれ１つずつ配置される。なお、各色ごとに配置する光検出器の数や配置箇所はこれに限られない。
【００４０】
これらの光検出器２０１Ｙ，２０１Ｃ，２０１Ｍ，２０１Ｋは、調整装置の制御部２０２に接続されており、その光検出器２０１Ｙ，２０１Ｃ，２０１Ｍ，２０１Ｋで検出した検出結果（受光量やスポット径などを示す検出信号）が制御部２０２に送られる。制御部２０２は、入力される検出信号に基づいて各種演算処理を行い、各光検出器２０１Ｙ，２０１Ｃ，２０１Ｍ，２０１Ｋで受光した光の受光量などの走査線調整用情報を、ほぼリアルタイムで連続的に表示部２０３に出力する。これにより、走査線調整作業を行う作業者は、その表示部２０３に表示される走査線調整用情報を見ながら、調整ネジを回転させて走査線の曲がり調整作業を行うことができる。
【００４１】
Ｙ色に対応する走査線の曲がり補正は、下カバー４７に設けられた調整穴４９Ｙから調整治具たる６角レンチ１６６を図中矢印ＡＹ方向に挿入する。図に示すように、Ｙ色の走査線の曲がりを補正するときは、下から６角レンチ１６６を挿入することになるため、調整ネジ１６５Ｙを目視で確認しながら６角レンチ１６６の先端を調整ネジ１６５Ｙの６角穴１６５ｃＹに係合させることができない。このため、６角レンチ１６６の先端の位置がずれる場合があるが、この場合は、調整ネジ１６５Ｙのガイド部１６５ｄＹに６角レンチ１６６の先端が突き当たる。ガイド部１６５ｄＹは、６角穴１６５ｃＹから径が広がるすり鉢状の形状となっているため、６角レンチ１６６がガイド部１６５ｄＹに突き当たった状態から更に６角レンチ１６６を挿入すると、６角レンチ１６６の先端がガイド部１６５ｄＹにより６角穴１６５ｃＹに案内される。よって、６角レンチ１６６の先端の位置がずれていても、容易に６角穴１６５ｃＹにアクセスすることができる。
【００４２】
また、本実施形態においては、係合部を６角穴としているので、６角レンチ１６６と６角穴１６５ｃＹとが合わなかったとしても、６角レンチ１６６を３０°回転させるだけで、６角レンチ１６６を６角穴１６５ｃＹと係合させることができる。通常のネジ同様、係合部を十字穴とした場合、調整治具を十字穴に係合するためには、最大で約９０°回転する必要がある。一方、本実施形態のように係合部を６角穴形状とすることで係合部を十字穴としたものに比べて、最大回転量（１／３）で調整治具を係合部に係合させることができる。よって、十字穴に比べて、湾曲補正の作業性を向上させることができる。
【００４３】
６角レンチ１６６が調整ネジ１６５Ｙに設けられたガイド部１６５ｄＹに案内されて、６角穴１６５ｃＹと係合したら、光書込ユニット外から６角レンチ１６６を回転させて、調整ネジ１６５Ｙに回転力を付与して、第２反射鏡４５Ｙの裏面側への湾曲量を減少させたり、逆方向に湾曲させたりして、Ｙ色の走査線の曲がりを補正する。
【００４４】
同様にして、Ｃ色の走査線の曲がりを補正する場合は、調整穴４９ｃから矢印Ａｃ方向に６角レンチ１６６を挿入して、調整ネジ１６５ＣにアクセスしてＣ色の走査線の曲がりを補正する。Ｍ色の走査線の曲がりを補正する場合は、調整穴４９Ｍから矢印ＡＭ方向に６角レンチ１６６を挿入して、調整ネジ１６５Ｍにアクセスして走査線の曲がりを補正する。Ｋ色の走査線の曲がりを補正する場合は、調整穴４９Ｋから矢印ＡＫ方向に６角レンチ１６６を挿入して、調整ネジ１６５Ｋにアクセスして走査線の曲がりを補正する。
【００４５】
また、走査線の傾きの調整は、光検出器２０１Ｙ，２０１Ｃ，２０１Ｍ，２０１Ｋで検出した検出結果に基づいて、傾き調整パルスモータ５６Ｙを駆動させる。すると、回転軸に螺合せしめられた傾き調整アジャスタが回転軸の回動に伴って昇降し、第２反射鏡４５Ｙの一端部に対する傾き調整アジャスタの押込量が変化する。これにより、第２反射鏡４５Ｙのモータ側端部が、支持部６６と板バネとの間に挟み込まれている支点側端部を支点にして、アジャスタ昇降方向に揺動する。そして、この揺動によって第２反射鏡４５Ｙの傾き（姿勢）が変化し、走査線が補正される。
【００４６】
［変形例１］
次に、変形例１について説明する。
変形例１においては、調整ネジと別部材であるハウジングにガイドを設けたものである。
以下の変形例１においては、調整穴４９Ｃについて説明するが、他の色の調整穴４９Ｙ、４９Ｍ、４９Ｋにも適用することができる。
図１５は、ハウジングの調整穴４９Ｃにガイドを設けた例を示す斜視図であり、図１６は、ハウジング調整穴４９Ｃにガイドを設けた例を示す概略断面図である。
図に示すように、Ｃ色の調整穴４９Ｃの外側端部は、６角レンチ１６６を調整穴４９Ｃに導くための開口ガイド４９１Ｃを有している。開口ガイド４９１Ｃは、調整穴４９Ｃから外側に向かって径が拡径するようなすり鉢状となっている。また、図１６に示すように、調整穴４９Ｃの内側端部には、調整穴４９Ｃに挿入された６角レンチ１６６の先端を調整ネジ１６５Ｃに案内するための第２ガイド４９２Ｃを備えている。第２ガイド４９２Ｃは、調整穴４９Ｃの内側端部から、調整ネジ１６５Ｃに向かって伸びている。
【００４７】
この変形例１においては、開口ガイド４９１Ｃを有することで、６角レンチ１６６を調整穴４９Ｃに挿入する際に、６角レンチ１６６の挿入位置が調整穴４９Ｃの位置とずれていた場合、６角レンチ１６６が開口ガイド４９１Ｃに案内されて、６角レンチ１６６が調整穴４９Ｃに挿入される。これにより、６角レンチ１６６を調整穴４９Ｃに容易に挿入させることができ、走査線調整の作業性を向上させることができる。特に、先の図１４に示したように、６角レンチ１６６を下から挿入する必要がある調整穴４９Ｙにおいて、上記開口ガイドを設けることが有効である。これは、調整穴４９は、下カバーにあり、調整穴を目視で確認できないため、６角レンチの先端が調整穴からずれることが多い。よって、調整穴４９Ｙにおいて、上記開口ガイドを設けることで６角レンチの先端が調整穴からずれていても開口ガイドに案内されて、６角レンチの先端を調整穴に挿入することができる。
【００４８】
また、調整穴４９Ｃに挿入された６角レンチ１６６は、第２ガイド４９２Ｃによって調整ネジの６角穴に案内されるので、６角レンチ１６６を調整ネジの６角穴と容易に係合させることができる。これにより、走査線調整の作業性を向上させることができる。
【００４９】
さらに、調整ネジにもガイドを設けることで、第２反射鏡の取り付け誤差などによって調整ネジの位置が変動して、第２ガイドによって案内された６角レンチの位置と、調整ネジの６角穴の位置とがずれても、６角レンチは、調整ネジのガイドに案内されて、６角穴と係合することができる。よって、より走査線調整の作業性を向上させることができる。
【００５０】
また、図１７、図１８に示すように、ポリゴンカバー４６にガイドを設けてもよい。図１８に示す、調整穴４９Ｃと調整ネジ１６５Ｃの６角穴とを結ぶ線分上にポリゴンカバー４６の上部が重なるように、ポリゴンカバー４６を上方に延長させる。そして、ポリゴンカバー４６の調整穴４９Ｃと調整ネジ１６５Ｃの６角穴とを結ぶ線分がぶつかる部分を窪ませてガイド４９３Ｃとした。このように構成することで、調整穴４６Ｃに挿入された６角レンチは、ガイド４９３Ｃにガイドされて、６角レンチの先端を調整ネジ１６５Ｃの６角穴に案内することができる。
また、同様に、ポリゴンカバー４６を上方に延在させて調整穴４９Ｍと調整ネジ１６５Ｍの６角穴とを結ぶ線分がぶつかる部分を窪ませてガイド４９３Ｍとしてもよい。
【００５１】
また、上述では、傾き調整を装置内部に設けたパルスモータを用いて調整しているが、曲がり調整同様、調整ネジにして、装置外部から調整治具を挿入して調整治具で走査線の傾きを補正してもよい。この場合においても、調整ネジやハウジングなどにガイドを設けることで、傾き調整のための調整治具がガイドに案内されて、調整治具と調整ネジとの係合を容易に行うことができる。これにより、傾き調整作業を容易に行うことができる。
【００５２】
また、上述では、ひとつの走査レンズで副走査線方向および主走査線方向に集光させている書込ユニットについて説明したが、図１９に示すように、光を副走査方向に集光させる走査レンズ（長尺レンズ）と、主走査線方向に集光させる走査レンズ（ｆθレンズ）とを備えた光書込ユニットにも適用することができる。
また、図１９に示す副走査方向に集光させる走査レンズ（長尺レンズ）と、主走査線方向に集光させる走査レンズ（ｆθレンズ）とを備えた光書込ユニットにおいては、反射鏡の変わりに、副走査方向に集光させる走査レンズ（長尺レンズ）の姿勢を変化させたり、曲げたりすることで、走査線の傾きや曲がりを補正してもよい。
【００５３】
図２０は、長尺レンズにより走査線の曲がりを補正する湾曲補正機構の概略構成図である。
図２０に示すように、この曲がり補正機構は、ブラケット、曲がり調整バネ、固定用バネ、調整ネジなどで構成されている。
長尺レンズは、その長手方向両端が固定用板バネ３５４，３５５によってブラケット３５２に固定されている。ブラケットの長手方向中央部には、調整ネジがネジ止めされている。
調整ネジ３６５を締めない状態においては、長尺レンズ３５１の長手方向中央部分は曲がり調整用板バネ３５３によってブラケット３５２の天面側に付勢されている。この状態から調整治具を調整ネジ３６５に係合させて、調整ネジ３６５を調整治具によって締めると、その調整用ネジ３６５の頂部である当接部が長尺レンズ３５１の長手方向中央部分に当接し、この部分とブラケット３５２の天面との間隔が広がっていく。長尺レンズ５１は、その長手方向両端が固定用板バネ３５４，３５５によってブラケット３５２に固定されており、かつ、長尺レンズ３５１の剛性はブラケット３５２よりも剛性が低い。そのため、調整ネジ３６５を締めることにより、長尺レンズ３５１は、図２０に示すようにその長手方向に撓んだ状態になる。このように長尺レンズ３５１が撓むと、その撓み量に応じて長尺レンズ３５１を通過するレーザ光による走査線の曲がり度合が変化する。よって、曲がり調整用ネジ３６５の締め量を調整することで、走査線の曲がりを補正することができる。
【００５４】
この長尺レンズにより走査線の曲がりを補正するようにした構成においては、図１９に示すように、長尺レンズユニット５０ａや５０ｄに設けた曲がり補正機構の調整ネジに調整治具を係合させる際は、調整治具をハウジングの下面から挿入する必要がある。
よって、このような構成においても、調整ネジやハウジングなどに本発明のガイドを設けることで、曲がり調整作業を容易に行うことができる。
【００５５】
図２１は、長尺レンズにより走査線の傾き補正する傾き補正機構の概略構成図である。
ブラケットに固定された長尺レンズの底面（ブラケット３５２の天面とは反対側に位置する面）における長手方向中央部は、ハウジングに固定されたかまぼこ形状の支持台３６６に支持されている。また、傾き調整ネジの頂部である当接部をブラケットの端部に当接させる。
【００５６】
また、ブラケット３５２の天面の長手方向両端には、ハウジングに固定されたユニット支持用板バネ３６１，３６２が当接する。このユニット支持用板バネ３６１，３６２の付勢力により、ブラケット３５２の天面の長手方向両端はその底面側に向けて押し下げられる力を受ける。これにより、長尺レンズ３５１の長手方向と光路Ｌの方向の両方に直交する方向（鉛直方向）について、長尺レンズユニット５０は、傾き調整ネジ３６３、ユニット支持用板バネ３６１、支持台３６６、ユニット支持用板バネ３６２によって支持される。
【００５７】
調整治具を装置に挿入して、調整ネジ３６３に調整治具を係合させて、調整ネジ３６３を回転させて調整ネジ３６３を上昇させると、長尺レンズユニット５０の調整ネジ側端部はユニット支持用板バネ３６１の付勢力に抗して上昇する。これにより、長尺レンズユニット５０は、支持台３６６を支点にして図２１中右回りに回動し、その姿勢を変化させる。一方、調整ネジを下降させると、長尺レンズユニット５０の調整ネジ側端部はユニット支持用板バネ３６１の付勢力により下降する。これにより、長尺レンズユニット５０は、支持台３６６を支点にして図２１中左回りに回動し、その姿勢を変化させる。
【００５８】
このようにして長尺レンズユニット５０の姿勢が変化すると、長尺レンズ３５１の入射面に対してレーザ光Ｌが入射する位置が変わる。長尺レンズ３５１は、長尺レンズ３５１の入射面に対するレーザ光Ｌの入射位置が長尺レンズ３５１の長手方向と光路の方向とに直交する方向（鉛直方向）に変化すると、長尺レンズ３５１の出射面から出射されるレーザ光の鉛直方向に対する角度（出射角）が変化するという特性を有している。この特性により、上記昇降ネジにより長尺レンズユニット５０の姿勢が変化すると、これに応じて長尺レンズ３５１の出射面から出射するレーザ光の出射角が変わり、その結果、このレーザ光による感光体上の走査線の傾きが変わる。
【００５９】
この長尺レンズの姿勢を変化させて走査線の傾きを補正する傾き補正機構においても、調整ネジやハウジングなどに本発明のガイドを設けることで、傾き調整治具を容易に傾き調整用の調整ネジと係合させることができ、走査線の傾き補正作業を容易に行うことができる。
【００６０】
なお、上述では、走査線の傾きまたは曲がり調整を行うための調整装置に載置して走査線の傾き補正・曲がり補正を行っているが、画像形成装置に載置された状態の光走査装置に対して曲がり補正・傾き補正を行うことができる。この場合は、まず、中間転写ベルトなどに、走査線の湾曲や傾きを調べるためのパターン画像を形成し、そのパターン画像を光学センサで検知する。その検知結果に基づいて、走査線の曲がり量、傾き量を演算して、画像形成装置のディスプレイに表示する。作業者は、このディスプレイ表示に基づいて、傾き調整や曲がり調整を行う。
【００６１】
本実施形態の光走査装置たる光書込ユニットにおいては、光源たるレーザーダイオードと、レーザーダイオードから照射された光を光照射対象たる感光体に照射してこれを走査する走査手段たるポリゴンスキャナと、レーザーダイオードから感光体までの光路上に設けられる反射ミラーや長尺レンズなどの光学素子とを有している。また、反射ミラーや長尺レンズを湾曲させて走査線の曲がりを補正する補正手段たる曲がり補正機構を備えている。曲がり補正機構は、反射ミラー（長尺レンズ）と当接する当接部と、装置外部から挿入された調整治具と係合する係合部とを有し、調整治具から力を加えられることで反射ミラー（長尺レンズ）との当接位置が変位し、反射ミラー（長尺レンズ）の湾曲を調整する調整部材たる調整ネジを有している。そして、載置された状態の光書込ユニットの外部から挿入される調整治具を調整ネジの係合部に案内するためのガイドを設けている。
これにより、調整治具を調整部材の係合部に係合するとき、調整治具がガイドによって調整部材の係合部へ案内されるので、調整部材の位置を目視で確認できなくても、調整治具を容易に調整ネジに係合させることができる。その結果、走査線の補正作業を容易に行うことができる。
【００６２】
また、ガイドを調整ネジに設けることで、ハウジングに挿入された調整治具を調整ネジの係合部に案内することができる。
【００６３】
また、ガイドを、係合部に向かって径が小さくなるすり鉢形状としたことで、調整治具の先端がガイドに突き当たってから更に調整治具を挿入した際に、スムーズに調整ネジの係合部に案内することができる。
【００６４】
また、係合部の形状を６角穴とすることで、調整治具を係合部と係合させるための最大回転量が、係合部を十字穴にしたものに比べて、（１／３）にすることができ、係合部を十字穴にしたものに比べて、調整治具を調整ネジの係合部に係合させやすくできる。
【００６５】
また、調整ネジの６角穴が形成されている部分の外径を、ネジ部の外径よりも大きくすることで、６角穴を形成するときの調整ネジの強度を増すことができ、６角穴形成時に生じる調整ネジの変形を抑制することができ、調整ネジの不良品の発生を抑制することができる
【００６６】
調整ネジ以外の部材にガイドを設けることでも、調整治具を調整ネジに案内することができる。
【００６７】
ハウジングにガイドを設けることで、調整治具を調整ネジに案内することができる。
【００６８】
また、走査線の傾き補正や曲がり補正は、副走査線方向に集光する長尺レンズまたは反射ミラーの姿勢や形状を変化させることで補正することができる。
【符号の説明】
【００６９】
４：光書込ユニット（光走査装置）
５：中間転写ユニット（転写手段）
１０Ｙ，Ｃ，Ｍ，Ｋ：感光体（走査対象物、潜像担持体）
１２Ｙ，Ｃ，Ｍ，Ｋ：現像装置（現像手段）
４１ａ，ｂ：ポリゴンミラー（偏向手段の一部）
４４Ｙ，Ｃ，Ｍ，Ｋ：第１反射鏡
４５Ｙ，Ｃ，Ｍ，Ｋ：第２反射鏡
５２Ｙ：ホルダー（保持体、湾曲補正機構の一部）
５２ａＹ：爪（支持部材）
５２ｂＹ：板バネ（押圧部材）
５６Ｙ：傾き調整パルスモータ（傾き補正機構の一部）
５７Ｙ：モータホルダ（傾き補正機構の一部）
５８Ｙ：傾き調整アジャスタ（傾き補正機構の一部）
６５Ｙ：曲がり調整パルスモータ（押圧手段の一部、湾曲補正機構の一部）
６７Ｙ：モータホルダ（押圧手段の一部、湾曲補正機構の一部）
６８Ｙ：曲がり調整アジャスタ（押圧手段の一部、湾曲補正機構の一部）
【先行技術文献】
【特許文献】
【００７０】
【特許文献１】特開２００６−１７８８１号公報
【図１】
0005455085.tif 000002
【図２】
0005455085.tif 000003
【図３】
0005455085.tif 000004
【図４】
0005455085.tif 000005
【図５】
0005455085.tif 000006
【図６】
0005455085.tif 000007
【図７】
0005455085.tif 000008
【図８】
0005455085.tif 000009
【図９】
0005455085.tif 000010
【図１０】
0005455085.tif 000011
【図１１】
0005455085.tif 000012
【図１２】
0005455085.tif 000013
【図１３】
0005455085.tif 000014
【図１４】
0005455085.tif 000015
【図１５】
0005455085.tif 000016
【図１６】
0005455085.tif 000017
【図１７】
0005455085.tif 000018
【図１８】
0005455085.tif 000019
【図１９】
0005455085.tif 000020
【図２０】
0005455085.tif 000021
【図２１】
0005455085.tif 000022